(57)【要約】  一つの実施の形態に係る電子機器は、受信部と、処理部と、を備える。前記受信部は、それぞれ処理の実行を指示するための複数の操作子を含む操作画面と、前記操作画面上のいずれかの操作子又は座標を指定するための指示子とがディスプレイ上に表示される場合に、前記操作画面に含まれる前記複数の操作子の疎密に関する第１情報を取得する。前記処理部は、前記第１情報を用いて、ユーザインターフェース上でのユーザの操作の移動距離と、前記操作画面上の指示子の移動数又は移動距離との関係を変更する。
2015193977.tif 000002
【特許請求の範囲】
【請求項１】
それぞれ処理の実行を指示するための複数の操作子を含む操作画面と、前記操作画面上のいずれかの操作子又は座標を指定するための指示子とがディスプレイ上に表示される場合に、前記操作画面に含まれる前記複数の操作子の疎密に関する第１情報を取得する受信部と、
前記第１情報を用いて、ユーザインターフェース上でのユーザの操作の移動距離と、前記操作画面上の指示子の移動数又は移動距離との関係を変更する処理部と、
を具備する電子機器。
【請求項２】
前記受信部は、前記第１情報に含まれ、前記ユーザインターフェース上での前記ユーザの操作の移動距離と、前記操作画面上の指示子の移動数又は移動距離と、の関係に関し、前記複数の操作子の疎密に応じて定められたパラメータを取得する、請求項１の電子機器。
【請求項３】
前記操作画面を前記ディスプレイ上に表示する他の電子機器に、前記ユーザインターフェース上でのユーザの操作の移動距離に基づく前記操作画面上の指示子の移動数又は移動距離に関する第２情報を送信する送信部をさらに具備する、請求項１又は請求項２の電子機器。
【請求項４】
タッチパネルをさらに備え、
前記ユーザインターフェース上でのユーザの操作の移動距離は、前記タッチパネル上の接触点の移動距離に従って定められ、
前記ディスプレイは、他の電子機器に備えられるものであって、
前記操作画面上の指示子の移動数又は移動距離に関する第２情報は、前記他の電子機器に送信されるものである、請求項１又は請求項２の電子機器。
【請求項５】
それぞれ処理の実行を指示するための複数の操作子を含む操作画面と、前記操作画面上のいずれかの操作子又は座標を指定するための指示子とがディスプレイ上に表示される場合に、前記操作画面に含まれる前記複数の操作子の疎密に関する第１情報を取得し、
前記第１情報を用いて、ユーザインターフェース上でのユーザの操作の移動距離と、前記操作画面上の指示子の移動数又は移動距離との関係を変更する、
ことを含む方法。
【請求項６】
前記第１情報は、前記ユーザインターフェース上での前記ユーザの操作の移動距離と、前記操作画面上の指示子の移動数又は移動距離と、の関係に関し、前記複数の操作子の疎密に応じて定められたパラメータを含む、請求項５の方法。
【請求項７】
前記操作画面を前記ディスプレイ上に表示する電子機器に、前記ユーザインターフェース上でのユーザの操作の移動距離に基づく前記操作画面上の指示子の移動数又は移動距離に関する第２情報を送信する、請求項５又は請求項６の方法。
【請求項８】
前記ユーザインターフェース上でのユーザの操作の移動距離を、タッチパネル上の接触点の移動距離に従って定め、
前記操作画面上の指示子の移動数又は移動距離に関する第２情報を、前記ディスプレイを備える電子機器に送信する、
ことをさらに含む請求項５又は請求項６の方法。
【請求項９】
前記第１情報は、前記ユーザインターフェース上での前記ユーザの操作の移動距離と、前記操作画面上の指示子の移動数又は移動距離と、の関係に関する閾値を含み、
前記閾値は、第１の方向に係る前記ユーザインターフェース上での前記ユーザの操作の移動距離及び前記第１の方向に係る前記操作画面上の指示子の移動数又は移動距離の関係に関する第１の閾値と、前記第１の方向と交差する第２の方向に係る前記ユーザインターフェース上での前記ユーザの操作の移動距離及び前記第２の方向に係る前記操作画面上の指示子の移動数又は移動距離の関係に関する第２の閾値と、を有し、
前記第１の方向における前記操作子の密集度及び前記第１の閾値に係る前記ユーザの操作の移動距離の比率と、前記第２の方向における前記操作子の密集度及び前記第２の閾値に係る前記ユーザの操作の移動距離の比率とが異なる、
請求項５の方法。
【請求項１０】
電子機器の前記ディスプレイ上に表示される前記操作画面を撮影し、
撮影された前記操作画面の画像情報から前記第１情報を取得する、
ことをさらに含む請求項５の方法。
【請求項１１】
前記操作画面上のいずれかの操作子を指定するための前記指示子がディスプレイ上に表示される場合に、前記第１情報は、前記複数の操作子毎に設けられ、
前記指示子が前記操作子を移動する毎に前記第１情報を取得する、ことをさらに含む請求項５の方法。
【請求項１２】
それぞれ処理の実行を指示するための複数の操作子を含む操作画面と、前記操作画面上のいずれかの操作子又は座標を指定するための指示子とがディスプレイ上に表示される場合に、前記操作画面に含まれる前記複数の操作子の疎密に関する第１情報を取得し、
前記第１情報を用いて、ユーザインターフェース上でのユーザの操作の移動距離と、前記操作画面上の指示子の移動数又は移動距離との関係を変更する、
ことをコンピュータに実行させるためのプログラム。
【請求項１３】
前記第１情報は、前記ユーザインターフェース上での前記ユーザの操作の移動距離と、前記操作画面上の指示子の移動数又は移動距離と、の関係に関し、前記複数の操作子の疎密に応じて定められたパラメータを含む、請求項１２のプログラム。
【請求項１４】
前記操作画面を前記ディスプレイ上に表示する電子機器に、前記ユーザインターフェース上でのユーザの操作の移動距離に基づく前記操作画面上の指示子の移動数又は移動距離に関する第２情報を送信する、ことを前記コンピュータにさらに実行させるための請求項１２又は請求項１３のプログラム。
【請求項１５】
前記ユーザインターフェース上でのユーザの操作の移動距離を、タッチパネル上の接触点の移動距離に従って定め、
前記操作画面上の指示子の移動数又は移動距離に関する第２情報を、前記ディスプレイを備える電子機器に送信する、
ことを前記コンピュータにさらに実行させるための請求項１２又は請求項１３のプログラム。
【発明の詳細な説明】
【技術分野】
【０００１】
本発明の実施形態は、電子機器、方法、及びプログラムに関する。
【背景技術】
【０００２】
テレビのような電子機器の操作画面は、例えばリモートコントローラ（以下、リモコンと称する）によって操作される。例えば、リモコンの方向キーが押されることで、操作画面上の操作子（ボタン）のフォーカスが、当該方向キーに対応する方向に移動する。
【先行技術文献】
【特許文献】
【０００３】
【特許文献１】特開２０１２−９００７号公報
【発明の概要】
【発明が解決しようとする課題】
【０００４】
例えば、リモコンよりも操作画面がより直感的に操作可能になれば、ユーザはより円滑に操作画面を操作できる。
【課題を解決するための手段】
【０００５】
一つの実施の形態に係る電子機器は、受信部と、処理部と、を備える。前記受信部は、それぞれ処理の実行を指示するための複数の操作子を含む操作画面と、前記操作画面上のいずれかの操作子又は座標を指定するための指示子とがディスプレイ上に表示される場合に、前記操作画面に含まれる前記複数の操作子の疎密に関する第１情報を取得する。前記処理部は、前記第１情報を用いて、ユーザインターフェース上でのユーザの操作の移動距離と、前記操作画面上の指示子の移動数又は移動距離との関係を変更する。
【図面の簡単な説明】
【０００６】
【図１】図１は、第１の実施の形態に係る制御システムの構成を概略的に示す図である。
【図２】図２は、第１の実施形態のテレビの構成を示すブロック図である。
【図３】図３は、第１の実施形態の携帯端末の構成を示すブロック図である。
【図４】図４は、第１の実施形態のテレビ及び携帯端末の機能的構成を示すブロック図である。
【図５】図５は、第１の実施形態の携帯端末によって操作されるテレビの第１の例を示す図である。
【図６】図６は、第１の実施形態の、携帯端末によるテレビの操作処理の手順の一部を例示するフローチャートである。
【図７】図７は、第１の実施形態の携帯端末によって操作されるテレビの第２の例を示す図である。
【図８】図８は、第１の実施形態の携帯端末によって操作されるテレビの第３の例を示す図である。
【図９】図９は、第１の実施形態の携帯端末によって操作されるテレビの第４の例を示す図である。
【図１０】図１０は、第１の実施形態の携帯端末によって操作されるテレビの第５の例を示す図である。
【図１１】図１１は、第１の実施形態の第６の操作画面を示す図である。
【図１２】図１２は、第１の実施形態の第７の操作画面を示す図である。
【図１３】図１３は、第１の実施形態の第８の操作画面を示す図である。
【図１４】図１４は、第１の実施形態の第９の操作画面を示す図である。
【図１５】図１５は、第２の実施の形態に係るテレビ及び携帯端末の機能的構成を示すブロック図である。
【図１６】図１６は、第３の実施の形態に係る携帯端末の機能的構成を示すブロック図である。
【図１７】図１７は、第４の実施の形態に係る第１０の操作画面を示す図である。
【図１８】図１８は、第４の実施形態の、携帯端末によるテレビの操作処理の手順の一部を例示するフローチャートである。
【図１９】図１９は、第５の実施の形態に係る、携帯端末によって操作されるテレビの第１１の例を示す図である。
【発明を実施するための形態】
【０００７】
以下に、第１の実施の形態について、図１乃至図１４を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００８】
図１は、第１の実施の形態に係る制御システム１０の構成を概略的に示す図である。図１に示すように、制御システム１０は、例えば、テレビジョン受像装置（テレビ）１１と携帯端末１２とが接続される構成となっている。テレビ１１と携帯端末１２とは、例えば、直接的に若しくはルータを介して無線ＬＡＮのような無線ネットワークで互いに接続され、又はインターネットのような公衆ネットワーク１５を介して互いに接続される。
【０００９】
テレビ１１と携帯端末１２とは、公衆ネットワーク１５を介して、インターネット上のサービス業者や放送局のサーバ１７と接続される。また、テレビ１１は、放送局１８からの放送波を受信する。
【００１０】
テレビ１１は、操作画面を表示する電子機器及び他の電子機器の一例である。本実施形態のテレビ１１は、デジタル放送の受信及び表示機能と、放送番組の録画再生機能とを備える。また、本実施形態のテレビ１１は、インターネット上の各種サイトを検索したり、表示したりすることができるＷｅｂブラウザの機能を備える。
【００１１】
さらに、本実施形態のテレビ１１は、Ｈｙｂｒｉｄｃａｓｔ（登録商標）に対応する。テレビ１１は、放送局１８から受信した放送波と、サーバ１７とから放送番組に関するコンテンツやアプリケーションを受信し、アプリケーション等を起動して、放送番組と連動したコンテンツを放送番組上に表示可能である。
【００１２】
なお、操作画面を表示する電子機器及び他の電子機器は、テレビ１１に限定されない。電子機器及び他の電子機器は、例えば、パーソナルコンピュータ、ゲーム機、ハードディスクレコーダ、及びセットトップボックスのような他の機器であっても良い。
【００１３】
携帯端末１２は、電子機器の一例であり、例えば操作機器とも称され得る。携帯端末１２は、テレビ１１に対する操作を行うリモートコントローラとして機能し得る電子機器であり、例えば、スマートフォン等の携帯電話、タブレット端末、及びスレート端末のような種々の機器として実現される。
【００１４】
携帯端末１２は、所定のアプリケーションプログラムを実行することにより、テレビ１１の操作を行うことができる。例えば、携帯端末１２は、テレビ１１のチャンネルを変更したり、テレビ１１の音量を変更したり、テレビ１１の録画予約を行ったりすることができる。
【００１５】
携帯端末１２は、無線ネットワークや公衆ネットワーク１５を介して接続されたテレビ１１に操作情報（命令）を送信することで、テレビ１１を操作する。このため、携帯端末１２は、テレビ１１を遠隔操作することができる。操作情報は、テレビ１１を操作可能な情報であればどのような情報であってもよい。
【００１６】
図２は、第１の実施形態のテレビ１１の構成を示すブロック図である。図２に示すように、テレビ１１は、アンテナ２１と、入力端子２２と、チューナ２３と、復調器２４とを有する。アンテナ２１は、図１の放送局１８からの放送波を捕らえ、その放送波の放送信号を、入力端子２２を介してチューナ２３に供給する。
【００１７】
チューナ２３は、入力されたデジタル放送の放送信号から所望のチャンネルの放送信号を選局する。そして、チューナ２３から出力された放送信号は復調器２４に供給される。復調器２４は、放送信号に復調処理を施し、デジタル映像信号及び音声信号を復調して、後述するセレクタ２７に供給する。
【００１８】
テレビ１１は、さらに、入力端子３１，３２と、Ａ／Ｄ変換部３３と、信号処理部３４と、スピーカ３５と、映像を表示するためのディスプレイ３６とを有する。入力端子３１は外部からアナログの映像信号及び音声信号が入力され、入力端子３２は外部からデジタルの映像信号及び音響信号が入力される。Ａ／Ｄ変換部３３は入力端子３１から供給されるアナログの映像信号及び音響信号をデジタル信号に変換し、セレクタ２７に供給する。
【００１９】
セレクタ２７は、復調器２４、Ａ／Ｄ変換部３３、及び入力端子３２から供給されるデジタルの映像信号及び音声信号から一つの信号を選択する。セレクタ２７は、選択した信号を信号処理部３４に供給する。
【００２０】
信号処理部３４は、音響処理部３４ａと映像処理部３４ｂとを有する。音響処理部３４ａは、セレクタ２７から入力されたデジタル音響信号に所定の信号処理を施し、アナログ音響信号に変換してスピーカ３５に出力する。スピーカ３５は、信号処理部３４から供給される音響信号を入力し、その音響信号を用いて音声を出力する。
【００２１】
映像処理部３４ｂは、入力される映像信号について、所定の信号処理やスケーリング処理等を施し、処理後の映像信号をディスプレイ３６に供給する。さらに、映像処理部３４ｂは、ディスプレイ３６に表示させるためのＯＳＤ（Ｏｎ  Ｓｃｒｅｅｎ  ｄｉｓｐｌａｙ）信号も生成する。さらに、テレビ１１は、少なくともＴＳデマルチプレクサ及びＭＰＥＧデコーダを有する。ＭＰＥＧデコーダによってデコードされた信号は、信号処理部３４に入力される。
【００２２】
ディスプレイ３６は、例えば、液晶ディスプレイやプラズマディスプレイのようなフラットパネルディスプレイである。ディスプレイ３６は、信号処理部３４から供給される映像信号を用いて映像を表示する。
【００２３】
テレビ１１は、さらに、制御ユニット４１と、操作部４２と、受光部４３と、ＨＤＤ（Ｈａｒｄ  Ｄｉｓｋ  Ｄｒｉｖｅ）４４と、メモリ４５と、通信インターフェース（以下、通信Ｉ／Ｆと称する）４６とを有する。
【００２４】
制御ユニット４１は、テレビ１１における種々の動作を統括的に制御する。制御ユニット４１は、ＣＰＵ（Ｃｅｎｔｒａｌ  Ｐｒｏｃｅｓｓｉｎｇ  Ｕｎｉｔ）等を内蔵したマイクロプロセッサである。
【００２５】
制御ユニット４１は、操作部４２からの操作情報を入力するとともに、リモートコントローラ（リモコン）４９から送信された操作情報を、受光部４３を介して入力する。制御ユニット４１は、入力された操作情報に従い各部を制御する。
【００２６】
さらに、制御ユニット４１は、テレビ１１の各種機能を実現させるための画像を、ディスプレイ３６に表示させる。例えば、制御ユニット４１は、Ｗｅｂブラウザ機能を使用したり、コンテンツを再生したり、アプリケーションの起動及び各種設定を行ったりするための操作画面を、ディスプレイ３６に表示する。
【００２７】
本実施形態の受光部４３は、リモートコントローラ４９から出力される赤外線を受光する。なお、リモートコントローラ４９は、無線通信によって操作情報を送信しても良い。この場合、例えば通信Ｉ／Ｆ４６が、当該操作情報を受信し、制御ユニット４１に入力する。
【００２８】
制御ユニット４１は、メモリ４５を使用する。メモリ４５は、主として、制御ユニット４１に内蔵されているＣＰＵが実行する制御プログラムを格納したＲＯＭ（Ｒｅａｄ  Ｏｎｌｙ  Ｍｅｍｏｒｙ）と、ＣＰＵに作業エリアを提供するためのＲＡＭ（Ｒａｎｄｏｍ  Ａｃｃｅｓｓ  Ｍｅｍｏｒｙ）と、各種の設定情報及び制御情報等が格納される不揮発性メモリとを有する。
【００２９】
ＨＤＤ４４は、セレクタ２７で選択されたデジタルの映像信号、音声信号、及び種々の情報を記録する。なお、テレビ１１は、ＨＤＤ４４の代わりに、ＳＳＤ（Ｓｏｌｉｄ  Ｓｔａｔｅ  Ｄｒｉｖｅ）のような他の記録機器を有しても良い。
【００３０】
テレビ１１は、セレクタ２７で選択されたデジタルの映像信号及び音声信号を、録画データとしてＨＤＤ４４により記録することができる。さらに、テレビ１１は、ＨＤＤ４４に記録されたデジタルの映像信号及び音響信号を用いて映像及び音声を再生することもできる。
【００３１】
通信Ｉ／Ｆ４６は、公衆ネットワーク１５や無線ネットワークを介して、携帯端末１２やサーバ１７のような種々の通信装置と接続される。通信Ｉ／Ｆ４６は、携帯端末１２との間で、例えば操作情報の受信や種々の情報の送信をすることができる。さらに、通信Ｉ／Ｆ４６は、公衆ネットワーク１５を介して、テレビ１１で利用可能なプログラムやサービスの受信や種々の情報の送信をすることができる。
【００３２】
テレビ１１は、制御ユニット４１とメモリ４５に記憶されたプログラム（オペレーティングシステム、テレビ操作アプリケーションプログラム等の各種アプリケーションプログラム）との協働により、後述の図４に示される各部を実現する。
【００３３】
図３は、第１の実施形態の携帯端末１２の構成を示すブロック図である。図３に示すように、携帯端末１２は、表示部５１と、ＣＰＵ５２と、グラフィックスコントローラ５３と、タッチパネルコントローラ５４と、不揮発性メモリ５５と、ＲＡＭ５６と、通信Ｉ／Ｆ５７と、センサ群５８と、カメラ５９とを有する。携帯端末１２は、スピーカやマイクロフォンをさらに有する。通信Ｉ／Ｆ５７は、受信部及び送信部の一例である。
【００３４】
表示部５１は、ディスプレイ５１ａとタッチパネル５１ｂとが組み合わされた、いわゆるタッチスクリーンとして構成される。ディスプレイ５１ａは、例えば、液晶ディスプレイや有機ＥＬ（Ｅｌｅｃｔｒｏ  Ｌｕｍｉｎｅｓｃｅｎｃｅ）ディスプレイである。タッチパネル５１ｂは、ユーザの指やスタイラスペンなどによってタッチされたディスプレイ５１ａの表示画面上の位置（タッチ位置）を検知する。
【００３５】
不揮発性メモリ５５は、オペレーションシステムや各種のアプリケーションプログラム、プログラムの実行に必要な各種データなどを記憶する。ＣＰＵ５２は、携帯端末１２の動作を制御するプロセッサであり、携帯端末１２の各コンポーネントを制御する。ＣＰＵ５２は、不揮発性メモリ５５からＲＡＭ５６にロードされる、オペレーティングシステム、テレビ操作アプリケーションを含む各種アプリケーションプログラムを実行することで、後述する各機能部（図４参照）を実現する。ＲＡＭ５６は、携帯端末１２のメインメモリとして、ＣＰＵ５２がプログラムを実行する際の作業領域を提供する。
【００３６】
グラフィックスコントローラ５３は、表示部５１のディスプレイ５１ａを制御する表示コントローラである。タッチパネルコントローラ５４は、タッチパネル５１ｂを制御し、ユーザによるタッチ位置を示す座標データをタッチパネル５１ｂから取得する。
【００３７】
通信Ｉ／Ｆ５７は、公衆ネットワーク１５や無線ネットワークを介して、テレビ１１やサーバ１７のような種々の通信装置と接続される。通信Ｉ／Ｆ５７は、テレビ１１との間で、例えば操作情報の送信や種々の情報の受信をすることができる。
【００３８】
センサ群５８は、携帯端末１２に対する外部からの加速度の向きと大きさを検出する加速度センサ、携帯端末１２の方位を検出する方位センサ、携帯端末１２の角速度（回転角度）を検出するジャイロセンサ等である。各センサの検出信号はＣＰＵ５２に出力される。
【００３９】
カメラ５９は、被写体の撮影に用いられる。カメラ５９は、例えば、動画の撮影に用いられたり、ディスプレイ５１ａの明るさを自動調節するための光学センサとして用いられたりしても良い。
【００４０】
携帯端末１２は、ＣＰＵ５２と不揮発性メモリ５５に記憶されたプログラム（オペレーティングシステム、テレビ操作アプリケーションプログラム等の各種アプリケーションプログラム）との協働により、図４に示される各部を実現する。
【００４１】
図４は、第１の実施形態のテレビ１１及び携帯端末１２の機能的構成を示すブロック図である。図４に示すように、携帯端末１２は、機能的構成として、制御部７１と、入出力制御部７２とを備える。制御部７１は、ハードウェアプロセッサ等で実現される。図４は、上述した表示部５１及び通信Ｉ／Ｆ５７についても示す。
【００４２】
制御部７１は、携帯端末１２全体を制御する。制御部７１は、一例として、携帯端末１２によるテレビ１１の操作処理を行う。携帯端末１２によるテレビ１１の操作処理については、後述する。
【００４３】
入出力制御部７２は、表示部５１に対する入出力を制御する。すなわち、入出力制御部７２は、グラフィックスコントローラ５３を介して表示部５１のディスプレイ５１ａに対する表示制御を行うとともに、タッチパネルコントローラ５４を介して表示部５１のタッチパネル５１ｂからのタッチ操作による入力を制御する。
【００４４】
一方、テレビ１１は、制御部８１と、表示処理部８２と、閾値発行部８３と、閾値データベース（以下、閾値ＤＢと称する）８４とを主に備える。図４は、上述したディスプレイ３６及び通信Ｉ／Ｆ４６についても示す。
【００４５】
制御部８１は、テレビ１１の全体を制御する。制御部８１は、例えば、録画再生機能、Ｗｅｂブラウザ機能、コンテンツ再生機能、及び操作画面によるテレビ１１の操作機能を実現する。表示処理部８２は、ディスプレイ３６に対する表示制御を行う。閾値発行部８３は、携帯端末１２によるテレビ１１の操作処理に用いられる閾値を取得及び送信する。閾値ＤＢ８４に、複数の当該閾値が登録される。閾値については後述する。
【００４６】
図５は、携帯端末１２によって操作されるテレビ１１の第１の例を示す図である。本実施形態において、携帯端末１２のテレビ操作アプリケーションプログラム（リモコンアプリ）が実行されると、携帯端末１２の表示部５１に、タッチ操作のためのユーザインターフェース（以下、ＵＩと称する）が表示される。ユーザは、表示部５１のＵＩ上でタッチ操作による入力を行うことで、テレビ１１を操作することができる。
【００４７】
第１の例において、テレビ１１のディスプレイ３６に、第１の操作画面Ｐ１が表示される。第１の操作画面Ｐ１は、複数の操作子（ボタン）Ｂ１を有する。第１の操作画面Ｐ１は、例えば、任意の操作子Ｂ１を選択することで、当該操作子Ｂ１に対応する機能又はコンテンツを利用するために表示される。言い換えると、複数の操作子Ｂ１は、各操作子Ｂ１に対応するそれぞれの処理の実行を指示するために設けられる。操作子は、操作画面上に表示され、ユーザがいずれかの処理の実行を指示可能なものであればどのようなものであってもよい。第１の操作画面Ｐ１において、操作子Ｂ１は、８×４のグリッド状に配置される。なお、第１の操作画面Ｐ１及び操作子Ｂ１はこれに限られない。
【００４８】
第１の操作画面Ｐ１における一つの操作子Ｂ１に、指示子（たとえば、フォーカスＦＣ）が配置される。指示子とは、操作画面上のいずれかの座標、又は複数の操作子のいずれかを指定可能なものであればよく、ポインタやフォーカス、カーソル等であってもよい。フォーカスＦＣは、現在選択（指定）されている操作子Ｂ１を表示する。フォーカスＦＣが配置された操作子Ｂ１は、例えば、他の操作子Ｂ１と異なる色で表示されたり、他の操作子Ｂ１よりも大きく表示されたりする。
【００４９】
ユーザは、フォーカスＦＣが所望の操作子Ｂ１に位置するときに、例えば携帯端末１２の表示部５１のＵＩ上でタップを行うことで、当該操作子Ｂ１に対応する機能又はコンテンツを利用することができる。タップによる操作子Ｂ１の選択が行われると、ディスプレイ３６が表示する画面は、第１の操作画面Ｐ１から、当該操作子Ｂ１に対応する機能又はコンテンツを利用するための画面に切り替わる。
【００５０】
テレビ１１は、第１の操作画面Ｐ１に対応する閾値を携帯端末１２に送信する。閾値は、第１情報の一例である。ユーザの指ＦＴが携帯端末１２の表示部５１のＵＩ上に触れた状態で移動する（ＵＩ上でスワイプする）と、ユーザの指ＦＴのタッチ位置の移動距離（スワイプ操作の移動距離）が前記閾値を超える毎に、フォーカスＦＣが隣接する操作子Ｂ１へ移動する。すなわち、閾値は、表示部５１のＵＩ上でのユーザの操作の移動距離と、第１の操作画面Ｐ１上のフォーカスＦＣの移動数との関係に関する情報である。なお、ユーザの指ＦＴの代わりに、例えばスタイラスペンが、表示部５１のＵＩ上でスワイプしても良い。
【００５１】
次に、以上のように構成された本実施形態の携帯端末１２によるテレビ１１の操作処理について、図６を用いて詳しく説明する。図６は、第１の実施形態の、携帯端末１２によるテレビ１１の操作処理の手順の一部を例示するフローチャートである。
【００５２】
まず、テレビ１１が携帯端末１２に閾値を通知し、携帯端末１２の制御部７１が当該閾値を取得する（ステップＳ１１）。図４のテレビ１１の閾値発行部８３は、ディスプレイ３６に表示される画面が第１の操作画面Ｐ１に切り替わると、閾値ＤＢ８４から第１の操作画面Ｐ１に対応する閾値を取得する。閾値発行部８３は、通信Ｉ／Ｆ４６を介して、携帯端末１２に当該閾値の情報を送信する。
【００５３】
図５に示すように、閾値ＤＢ８４に登録され、閾値発行部８３によって送信される閾値は、横方向閾値Ｔｘ１と縦方向閾値Ｔｙ１とを有する。横方向閾値Ｔｘ１及び縦方向閾値Ｔｙ１は、第１の操作画面Ｐ１に対応付けられて閾値ＤＢ８４に登録される。
【００５４】
横方向閾値Ｔｘ１は、第１の閾値の一例である。横方向閾値Ｔｘ１は、携帯端末１２の表示画面の横方向（Ｘ方向）に係る表示部５１のＵＩ上でのタッチ位置の移動距離と、横方向に係る操作画面Ｐ１上のフォーカスＦＣの移動数と、の関係に関する情報である。横方向閾値Ｔｘ１は、例えば「１ｃｍ」のような移動距離の情報を有する。横方向は第１の方向の一例であり、「１ｃｍ」はユーザインターフェース上でのユーザの操作の移動距離の一例である。なお、第１の方向及び移動距離はこれに限られず、例えば、移動距離はピクセル数に係る情報であっても良い。
【００５５】
縦方向閾値Ｔｙ１は、第２の閾値の一例である。縦方向閾値Ｔｙ１は、携帯端末１２の表示画面の縦方向（Ｙ方向）に係る表示部５１のＵＩ上でのユーザの操作の移動距離と、縦方向に係る操作画面Ｐ１上のフォーカスＦＣの移動数と、の関係に関する情報である。縦方向閾値Ｔｙ１は、例えば「１ｃｍ」のような移動距離の情報を有する。縦方向は、第１の方向と交差する第２の方向の一例であり、「１ｃｍ」はユーザインターフェース上でのユーザの操作の移動距離の一例である。なお、第２の方向及び移動距離はこれに限られず、例えば、移動距離はピクセル数に係る情報であっても良い。
【００５６】
携帯端末１２の通信Ｉ／Ｆ５７が、横方向閾値Ｔｘ１及び縦方向閾値Ｔｙ１の情報を受信する。携帯端末１２の制御部７１は、通信Ｉ／Ｆ５７を介して取得した横方向閾値Ｔｘ１及び縦方向閾値Ｔｙ１を保持する。
【００５７】
次に、携帯端末１２の制御部７１は、表示部５１のタッチパネル５１ｂがユーザによるタッチの検知を開始したか否かを判断する（ステップＳ１２）。制御部７１は、タッチパネル５１ｂがタッチの検知を開始するまで待機する（ステップＳ１２：Ｎｏ）。
【００５８】
例えば、図５のようにユーザの指ＦＴが携帯端末１２の表示部５１のＵＩに触れると、タッチパネル５１ｂがタッチの検知を開始する（ステップＳ１２：Ｙｅｓ）。制御部７１は、指ＦＴのタッチ位置の移動距離をカウントする。例えば、制御部７１は、当初のタッチ位置と、現在（移動後）のタッチ位置との偏差としてのタッチ位置の移動距離を算出する。
【００５９】
制御部７１は、タッチ位置の移動距離を、横方向成分と縦方向成分とに分けてカウントする。すなわち、制御部７１は、携帯端末１２の表示画面の横方向に係るタッチ位置の移動距離（Ｘ成分）をカウントする（ステップＳ１３）とともに、携帯端末１２の表示画面の縦方向に係るタッチ位置の移動距離（Ｙ成分）をカウントする（ステップＳ１４）。
【００６０】
次に、制御部７１は、横方向に係るタッチ位置の移動距離が、横方向閾値Ｔｘ１を超えたか否かを判断する（ステップＳ１５）。横方向に係るタッチ位置の移動距離が、横方向閾値Ｔｘ１を超えると（ステップＳ１５：Ｙｅｓ）、制御部７１は、フォーカスＦＣを横方向に移動させるための操作情報（横方向移動命令）を通信Ｉ／Ｆ５７に出力する。例えば、横方向に係るタッチ位置の移動距離が、横方向閾値Ｔｘ１の移動距離である１ｃｍを超えると、制御部７１は横方向移動命令を出力する。
【００６１】
通信Ｉ／Ｆ５７は、制御部７１から供給された横方向移動命令をテレビ１１に送信する（ステップＳ１６）。通信Ｉ／Ｆ４６を介して横方向移動命令を受信したテレビ１１の制御部８１は、当該横方向移動命令に従って、フォーカスＦＣを横方向に隣接する操作子Ｂ１に移動させる。すなわち、通信Ｉ／Ｆ５７は、表示部５１のＵＩ上でのスワイプ操作の移動距離に基づく第１の操作画面Ｐ１上のフォーカスＦＣの移動数に関する情報を送信する。
【００６２】
横方向移動命令が送信されると、制御部７１は、横方向に係るタッチ位置の移動距離（Ｘ成分）のカウントをリセットする（ステップＳ１７）。このため、制御部７１は、再度横方向に係るタッチ位置の移動距離をカウントする際、横方向移動命令が出力された時点でのタッチ位置を基準に、タッチ位置の移動距離を算出する。
【００６３】
さらに、制御部７１は、縦方向に係るタッチ位置の移動距離が、縦方向閾値Ｔｙ１を超えたか否かを判断する（ステップＳ１８）。縦方向に係るタッチ位置の移動距離が、縦方向閾値Ｔｙ１を超えると（ステップＳ１８：Ｙｅｓ）、制御部７１は、フォーカスＦＣを縦方向に移動させるための操作情報（縦方向移動命令）を通信Ｉ／Ｆ５７に出力する。例えば、縦方向に係るタッチ位置の移動距離が、縦方向閾値Ｔｙ１の移動距離である１ｃｍを超えると、制御部７１は縦方向移動命令を出力する。
【００６４】
通信Ｉ／Ｆ５７は、制御部７１から供給された縦方向移動命令をテレビ１１に送信する（ステップＳ１９）。通信Ｉ／Ｆ４６を介して縦方向移動命令を受信したテレビ１１の制御部８１は、当該縦方向移動命令に従って、フォーカスＦＣを縦方向に隣接する操作子Ｂ１に移動させる。すなわち、通信Ｉ／Ｆ５７は、表示部５１のＵＩ上でのスワイプ操作の移動距離に基づく第１の操作画面Ｐ１上のフォーカスＦＣの移動数に関する情報を送信する。
【００６５】
縦方向移動命令が送信されると、制御部７１は、縦方向に係るタッチ位置の移動距離（Ｙ成分）のカウントをリセットする（ステップＳ２０）。このため、制御部７１は、再度縦方向に係るタッチ位置の移動距離をカウントする際、縦方向移動命令が出力された時点でのタッチ位置を基準に、タッチ位置の移動距離を算出する。
【００６６】
次に、携帯端末１２の制御部７１は、表示部５１のタッチパネル５１ｂによるタッチの検知が終了したか否かを判断する（ステップＳ２１）。タッチの検知が継続している場合（ステップＳ２１：Ｎｏ）、制御部７１は、横方向に係るタッチ位置の移動距離と縦方向に係るタッチ位置の移動距離とのカウントを継続する（ステップＳ１３，Ｓ１４）。
【００６７】
制御部７１は、横方向に係るタッチ位置の移動距離が、横方向閾値Ｔｘ１を超えていない場合（ステップＳ１５：Ｎｏ）、横方向移動命令を出力することなくタッチの検知が終了したか否かを判断する（ステップＳ２１）。同様に、制御部７１は、縦方向に係るタッチ位置の移動距離が、縦方向閾値Ｔｙ１を超えていない場合（ステップＳ１８：Ｎｏ）、縦方向移動命令を出力することなくタッチの検知が終了したか否かを判断する（ステップＳ２１）。
【００６８】
以上の制御（ステップＳ１３〜Ｓ２１）が、表示部５１のタッチパネル５１ｂによるタッチの検知が終了する（ステップＳ２１：Ｙｅｓ）まで繰り返される。すなわち、制御部７１は、タッチ操作による移動距離が横方向閾値Ｔｘ１又は縦方向閾値Ｔｙ１を超える毎に、フォーカスＦＣを移動させるための操作情報を出力する。
【００６９】
図５に示される第１の例において、ユーザの指ＦＴは、携帯端末１２の表示部５１に触れた状態で、右方向（横方向）に移動する。横方向に係るタッチ位置の移動距離Ｌｘ１は、例えば３ｃｍである。
【００７０】
ユーザの指ＦＴによるタッチ位置が右方向に１ｃｍ移動する毎に（図６のステップＳ１５：Ｙｅｓ）、携帯端末１２の制御部７１は、フォーカスＦＣを右方向に隣接する操作子Ｂ１に移動させるための操作情報を、通信Ｉ／Ｆ５７を介してテレビ１１に送信する（ステップＳ１６）。これにより、フォーカスＦＣは、当初配置された操作子Ｂ１ａから、右方向に三つの操作子Ｂ１を移動し、操作子Ｂ１ｂに配置される。図５は、操作子Ｂ１ａに当初配置されたフォーカスＦＣを二点鎖線で示し、操作子Ｂ１ｂに移動後配置されたフォーカスＦＣをハッチングで示す。
【００７１】
閾値ＤＢ８４に登録される閾値は、操作画面毎に設けられる。当該閾値は、例えば、操作画面に含まれる操作子の間のフォーカスＦＣの移動距離に応じて設定される。操作子の間の指示子（フォーカスＦＣ）の移動距離は、操作画面に含まれる複数の操作子の疎密に応じて定められる。操作画面に含まれる複数の操作子の疎密に関する情報は、操作画面上に操作子が密に配置されているか、又は疎に配置されているかが識別可能な情報であればどのようなものであってもよく、操作子の密集度（単位面積あたりの操作子の数）、大きさ、数、及び位置の少なくとも一つを用いて定めることが可能であり、また複数の操作子についてのこれらの要素から統計的に算出される値（たとえば、平均値や中央値等）を用いて定められてもよい。閾値は、複数の操作子の疎密に応じて設けられる。以下、操作画面と、当該操作画面に対応する閾値との複数の例について説明する。
【００７２】
図７は、携帯端末１２によって操作されるテレビ１１の第２の例を示す図である。図７に示すように、第２の例において、テレビ１１のディスプレイ３６に、第２の操作画面Ｐ２が表示される。第２の操作画面Ｐ２は、複数の操作子Ｂ２を有する。第２の操作画面Ｐ２において、操作子Ｂ２は、４×４のグリッド状に配置される。
【００７３】
テレビ１１の閾値発行部８３は、ディスプレイ３６に表示される画面が第２の操作画面Ｐ２に切り替わると、閾値ＤＢ８４から第２の操作画面Ｐ２に対応する横方向閾値Ｔｘ２と縦方向閾値Ｔｙ２とを取得する。閾値発行部８３は、通信Ｉ／Ｆ４６を介して、携帯端末１２に横方向閾値Ｔｘ２及び縦方向閾値Ｔｙ２の情報を送信する。
【００７４】
第２の操作画面Ｐ２において、横方向（Ｘ方向）における操作子Ｂ２の間のフォーカスＦＣの移動距離は、横方向における第１の操作画面Ｐ１の操作子Ｂ１の間のフォーカスＦＣの移動距離よりも大きい。本明細書において、フォーカスＦＣの移動距離は、縦方向又は横方向に隣り合う操作子（Ｂ１，Ｂ２）の中心点の間の距離である。
【００７５】
第２の例の横方向閾値Ｔｘ２は、横方向におけるフォーカスＦＣの移動距離に応じて、第１の例の横方向閾値Ｔｘ１よりも大きく設定される。例えば、第２の例の横方向閾値Ｔｘ２の移動距離は、第１の例の横方向閾値Ｔｘ１の移動距離よりも大きい「２ｃｍ」に設定される。
【００７６】
一方、第２の操作画面Ｐ２において、縦方向（Ｙ方向）における操作子Ｂ２の間のフォーカスＦＣの移動距離は、縦方向における第１の操作画面Ｐ１の操作子Ｂ１の間のフォーカスＦＣの移動距離に等しい。
【００７７】
第２の例の縦方向閾値Ｔｙ２は、縦方向におけるフォーカスＦＣの移動距離に応じて、第１の例の縦方向閾値Ｔｙ１に等しく設定される。例えば、第２の例の縦方向閾値Ｔｙ２の移動距離は、第１の例の縦方向閾値Ｔｙ１の移動距離に等しい「１ｃｍ」に設定される。
【００７８】
上述のように、横方向閾値Ｔｘ２と縦方向閾値Ｔｙ２とは互いに異なる。すなわち、横方向閾値Ｔｘ２と縦方向閾値Ｔｙ２とは、第２の操作画面Ｐ２の操作子Ｂ２の配置に応じて、重み付けがされる。
【００７９】
図７に示される第２の例において、ユーザの指ＦＴは、携帯端末１２の表示部５１に触れた状態で、右方向（横方向）に移動する。横方向に係るタッチ位置の移動距離Ｌｘ２は、例えば４ｃｍである。
【００８０】
ユーザの指ＦＴによるタッチ位置が右方向に２ｃｍ移動する毎に（図６のステップＳ１５：Ｙｅｓ）、携帯端末１２の制御部７１は、フォーカスＦＣを右方向に隣接する操作子Ｂ２に移動させるための操作情報を、通信Ｉ／Ｆ５７を介してテレビ１１に送信する（ステップＳ１６）。これにより、フォーカスＦＣは、当初配置された操作子Ｂ２ａから、右方向に二つの操作子Ｂ２を移動し、操作子Ｂ２ｂに配置される。
【００８１】
図８は、携帯端末１２によって操作されるテレビ１１の第３の例を示す図である。図８に示すように、第３の例において、テレビ１１のディスプレイ３６に、第３の操作画面Ｐ３が表示される。第３の操作画面Ｐ３は、複数の操作子Ｂ３を有する。第３の操作画面Ｐ３において、操作子Ｂ３は、１×４のグリッド状に配置され、縦並びのリストを形成する。
【００８２】
テレビ１１の閾値発行部８３は、ディスプレイ３６に表示される画面が第３の操作画面Ｐ３に切り替わると、閾値ＤＢ８４から第３の操作画面Ｐ３に対応する縦方向閾値Ｔｙ３を取得する。閾値発行部８３は、通信Ｉ／Ｆ４６を介して、携帯端末１２に縦方向閾値Ｔｙ３の情報を送信する。
【００８３】
第３の例において、操作子Ｂ３は縦方向にのみ並ぶ。このため、第３の操作画面Ｐ３に対応する横方向閾値は設定されない。閾値ＤＢ８４に、第３の操作画面Ｐ３に対応付けて、横方向閾値が設定されていない旨の情報が登録される。なお、第３の操作画面Ｐ３に対応する横方向閾値Ｔｘ３として、移動距離が当該横方向閾値Ｔｘ３を超え得ない値（例えば、設定可能な最大値や、表示部５１の横方向寸法よりも大きい値）が設定されても良い。
【００８４】
第３の操作画面Ｐ３において、縦方向（Ｙ方向）における操作子Ｂ３の間のフォーカスＦＣの移動距離は、縦方向における第１の操作画面Ｐ１の操作子Ｂ１の間のフォーカスＦＣの移動距離よりも大きい。
【００８５】
第３の例の縦方向閾値Ｔｙ３は、縦方向におけるフォーカスＦＣの移動距離に応じて、第１の例の縦方向閾値Ｔｙ１よりも大きく設定される。例えば、第３の例の縦方向閾値Ｔｙ３の移動距離は、第１の例の縦方向閾値Ｔｙ１の移動距離よりも大きい「１．５ｃｍ」に設定される。
【００８６】
図８に示される第３の例において、ユーザの指ＦＴは、携帯端末１２の表示部５１に触れた状態で、右上方向に移動する。タッチ位置の移動距離は、右方向（横方向）の移動距離と、上方向（縦方向）の移動距離とに分けて検知される。横方向に係るタッチ位置の移動距離Ｌｘ３は、例えば１ｃｍである。縦方向に係るタッチ位置の移動距離Ｌｙ３は、例えば３ｃｍである。
【００８７】
ユーザの指ＦＴによるタッチ位置が上方向に１．５ｃｍ移動する毎に（図６のステップＳ１８：Ｙｅｓ）、携帯端末１２の制御部７１は、フォーカスＦＣを上方向に隣接する操作子Ｂ３に移動させるための操作情報を、通信Ｉ／Ｆ５７を介してテレビ１１に送信する（ステップＳ１９）。これにより、フォーカスＦＣは、当初配置された操作子Ｂ３ａから、上方向に二つの操作子Ｂ３を移動し、操作子Ｂ３ｂに配置される。
【００８８】
第３の操作画面Ｐ３に対応する横方向閾値は設定されていない。このため、指ＦＴによるタッチ位置が横方向に動いても、タッチ位置の移動距離が閾値を超えることが無い（図６のステップＳ１５：Ｎｏ）。このため、携帯端末１２の制御部７１は横方向移動命令を出力せず、フォーカスＦＣは横方向に移動しない。これにより、不要な横方向移動命令が出力されることが抑制され、制御部７１の負荷増加を抑制できる。
【００８９】
図９は、携帯端末１２によって操作されるテレビ１１の第４の例を示す図である。図９に示すように、第４の例において、テレビ１１のディスプレイ３６に、第４の操作画面Ｐ４が表示される。第４の操作画面Ｐ４は、複数の操作子Ｂ４を有する。第４の操作画面Ｐ４において、操作子Ｂ４は、２×４のグリッド状に配置され、縦並びの二列リストを形成する。
【００９０】
テレビ１１の閾値発行部８３は、ディスプレイ３６に表示される画面が第４の操作画面Ｐ４に切り替わると、閾値ＤＢ８４から第４の操作画面Ｐ４に対応する横方向閾値Ｔｘ４と縦方向閾値Ｔｙ４とを取得する。閾値発行部８３は、通信Ｉ／Ｆ４６を介して、携帯端末１２に横方向閾値Ｔｘ４及び縦方向閾値Ｔｙ４の情報を送信する。
【００９１】
第４の操作画面Ｐ４において、例えば、左側の縦並びの列に配置された操作子Ｂ４に対応する機能又はコンテンツと、右側の縦並びの列に配置された操作子Ｂ４に対応する機能又はコンテンツと、の関連性が比較的弱い。言い換えると、左側の列に配置された操作子Ｂ４と、右側の列に配置された操作子Ｂ４との間で、フォーカスＦＣが移動する頻度が低い。
【００９２】
例えば、左側の列に配置された操作子Ｂ４は、デジタル放送の表示や録画再生に対応し、右側の列に配置された操作子Ｂ４は、天気予報やニュースの表示に対応する。この場合、フォーカスＦＣが不意に左側の列に配置された操作子Ｂ４から右側の列に配置された操作子Ｂ４に移動することは、ユーザの円滑な操作を妨げるおそれがある。
【００９３】
ユーザによる円滑な操作が行われるため、第４の例の横方向閾値Ｔｘ４は、比較的大きく設定される。言い換えると、フォーカスＦＣは、横方向に隣り合う操作子Ｂ４よりも、縦方向に隣り合う操作子Ｂ４に移動しやすい。
【００９４】
例えば、第４の例の横方向閾値Ｔｘ４の移動距離は、「３ｃｍ」に設定される。一方、第４の例の縦方向閾値Ｔｙ４の移動距離は、「１．５ｃｍ」に設定される。
【００９５】
第４の例において、横方向における操作子Ｂ４の密集度及び横方向閾値Ｔｘ４の移動距離の比率と、縦方向における操作子Ｂ４の密集度及び縦方向閾値Ｔｙ４の移動距離の比率とは異なる。このように、横方向閾値（Ｔｘ４）及び縦方向閾値（Ｔｙ４）は、操作子（Ｂ４）の密集度に応じていなくても良い。操作子の密集度は、操作子の疎密の一例である。
【００９６】
図９に示される第４の例において、ユーザの指ＦＴは、携帯端末１２の表示部５１に触れた状態で、右上方向に移動する。横方向に係るタッチ位置の移動距離Ｌｘ４は、例えば１ｃｍである。縦方向に係るタッチ位置の移動距離Ｌｙ４は、例えば３ｃｍである。
【００９７】
ユーザの指ＦＴによるタッチ位置が上方向に１．５ｃｍ移動する毎に（図６のステップＳ１８：Ｙｅｓ）、携帯端末１２の制御部７１は、フォーカスＦＣを上方向に隣接する操作子Ｂ４に移動させるための操作情報を、通信Ｉ／Ｆ５７を介してテレビ１１に送信する（ステップＳ１９）。これにより、フォーカスＦＣは、当初配置された操作子Ｂ４ａから、上方向に二つの操作子Ｂ４を移動し、操作子Ｂ４ｂに配置される。
【００９８】
ユーザの指ＦＴによるタッチ位置の横方向の移動距離は、横方向閾値Ｔｘ４に満たない（ステップＳ１５：Ｎｏ）。このため、第４の例におけるタッチ位置の移動によっては、携帯端末１２の制御部７１は横方向移動命令を出力せず、フォーカスＦＣは横方向に移動しない。
【００９９】
図１０は、携帯端末１２によって操作されるテレビ１１の第５の例を示す図である。図１０に示すように、第５の例において、テレビ１１のディスプレイ３６に、第５の操作画面Ｐ５が表示される。第５の操作画面Ｐ５は、複数の操作子Ｂ５を有する。操作子Ｂ５の大きさ及び配置は、第４の例の操作子Ｂ４と同じである。
【０１００】
テレビ１１の閾値発行部８３は、ディスプレイ３６に表示される画面が第５の操作画面Ｐ５に切り替わると、閾値ＤＢ８４から第５の操作画面Ｐ５に対応する横方向閾値Ｔｘ５と縦方向閾値Ｔｙ５とを取得する。閾値発行部８３は、通信Ｉ／Ｆ４６を介して、携帯端末１２に横方向閾値Ｔｘ５及び縦方向閾値Ｔｙ５の情報を送信する。
【０１０１】
第５の例において、例えば、左側の縦並びの列に配置された操作子Ｂ５に対応する機能又はコンテンツと、右側の縦並びの列に配置された操作子Ｂ５に対応する機能又はコンテンツと、の関連性は、第４の例に比べて強い。
【０１０２】
例えば、左側の列に配置された操作子Ｂ５は、デジタル放送の表示や録画再生に対応し、右側の列に配置された操作子Ｂ５は、ビデオオンデマンド（ＶＯＤ）に対応する。この場合、フォーカスＦＣが左側の列に配置された操作子Ｂ５から右側の列に配置された操作子Ｂ５に移動し難いと、ユーザの円滑な操作を妨げるおそれがある。
【０１０３】
ユーザによる円滑な操作が行われるため、第５の例の横方向閾値Ｔｘ５は、比較的小さく設定される。言い換えると、フォーカスＦＣは、縦方向に隣り合う操作子Ｂ５よりも、横方向に隣り合う操作子Ｂ５に移動しやすい。
【０１０４】
例えば、第５の例の横方向閾値Ｔｘ５の移動距離は、「１ｃｍ」に設定される。一方、第５の例の縦方向閾値Ｔｙ５の移動距離は、第４の例の縦方向閾値Ｔｙ４と同じく「１．５ｃｍ」に設定される。
【０１０５】
図１０に示される第５の例において、ユーザの指ＦＴは、携帯端末１２の表示部５１に触れた状態で、第４の例と同じく右上方向に移動する。横方向に係るタッチ位置の移動距離Ｌｘ５は、例えば１ｃｍである。縦方向に係るタッチ位置の移動距離Ｌｙ５は、例えば３ｃｍである。
【０１０６】
ユーザの指ＦＴによるタッチ位置が上方向に１．５ｃｍ移動する毎に（図６のステップＳ１８：Ｙｅｓ）、携帯端末１２の制御部７１は、フォーカスＦＣを上方向に隣接する操作子Ｂ５に移動させるための操作情報を、通信Ｉ／Ｆ５７を介してテレビ１１に送信する（ステップＳ１９）。
【０１０７】
さらに、ユーザの指ＦＴによるタッチ位置が右方向に１ｃｍ移動すると（ステップＳ１５：Ｙｅｓ）、携帯端末１２の制御部７１は、フォーカスＦＣを右方向に隣接する操作子Ｂ５に移動させるための操作情報を、通信Ｉ／Ｆ５７を介してテレビ１１に送信する（ステップＳ１６）。
【０１０８】
これにより、フォーカスＦＣは、当初配置された操作子Ｂ５ａから、上方向に二つの操作子Ｂ５を移動するとともに、右方向に一つの操作子Ｂ５を移動し、操作子Ｂ５ｂに配置される。
【０１０９】
以上のように、通信Ｉ／Ｆ５７は、操作画面（Ｐ１〜Ｐ５）に対応する閾値（横方向閾値Ｔｘ１〜Ｔｘ５及び縦方向閾値Ｔｙ１〜Ｔｙ５）を取得する。閾値は、各操作画面に含まれる複数の操作子（Ｂ１〜Ｂ５）の疎密に応じて設けられる。制御部７１は、タッチ位置の移動距離がこのような閾値を超える度に、操作命令を出力する。すなわち、制御部７１は、通信Ｉ／Ｆ５７が取得した閾値を用いて、表示部５１のＵＩ上でのユーザの操作（スワイプ操作）の移動距離と、操作画面上のフォーカスＦＣの移動数との関係を変更する。以下、操作画面の具体的態様の例について説明する。
【０１１０】
図１１は、第６の操作画面Ｐ６を示す図である。第６の操作画面Ｐ６は、録画された番組の中から所定のキーワードに基づいて検索された番組を表示し、当該検索結果の中から番組を選んで視聴するための操作画面である。第６の操作画面Ｐ６は、複数の操作子Ｂ６を有する。
【０１１１】
操作子Ｂ６は、検索された番組についての縦並びのリストを形成する。それぞれの操作子Ｂ６は、例えば、対応する番組についての情報を表示する。このような第６の操作画面Ｐ６に対応する閾値として、縦方向閾値のみが設定される。タッチ操作による移動距離が当該縦方向閾値を超える度に、フォーカスＦＣが縦方向に移動する。
【０１１２】
図１２は、第７の操作画面Ｐ７を示す図である。第７の操作画面Ｐ７は、再生中の番組において「気になる」シーンを選んで視聴するための操作画面である。第７の操作画面Ｐ７は、複数の操作子Ｂ７を有する。
【０１１３】
操作子Ｂ７は、第７の操作画面Ｐ７の左側に、再生中の番組をシーンごとに区切った縦並びのリストを形成する。左側のそれぞれの操作子Ｂ７は、対応するシーンについての情報を表示する。フォーカスＦＣによって任意の操作子Ｂ７が選択されると、再生中の番組は当該操作子Ｂ７に対応するシーンにジャンプする。
【０１１４】
さらに、操作子Ｂ７は、第７の操作画面Ｐ７の右側に、左側の操作子Ｂ７についての操作に対応する縦並びのリストを形成する。すなわち、右側の操作子Ｂ７は、左側の操作子Ｂ７に対応付けられたシーンについて、「気になるシーンに登録」したり、「フレンドにおすすめ」したり、「詳しい情報」を表示するために設けられる。
【０１１５】
例えば、このような第７の操作画面Ｐ７において、横方向閾値は比較的大きく、縦方向閾値は比較的小さく設定される。タッチ操作による移動距離が当該横方向閾値又は縦方向閾値を超える度に、フォーカスＦＣが横方向又は縦方向に移動する。
【０１１６】
図１３は、第８の操作画面Ｐ８を示す図である。第８の操作画面Ｐ８は、録画予約等を設定するために任意の番組を選択するための番組表である。第８の操作画面Ｐ８は、複数の操作子Ｂ８を有する。
【０１１７】
操作子Ｂ８は、例えば、放送局に対応して縦方向に並べられるとともに、放送時間に対応して横方向に並べられる。それぞれの操作子Ｂ８は、対応する番組についての情報を表示する。
【０１１８】
例えば、このような第８の操作画面Ｐ８において、横方向閾値は比較的小さく、縦方向閾値は比較的大きく設定される。タッチ操作による移動距離が当該横方向閾値又は縦方向閾値を超える度に、フォーカスＦＣが横方向又は縦方向に移動する。
【０１１９】
図１４は、第９の操作画面Ｐ９を示す図である。第９の操作画面Ｐ９は、第８の操作画面Ｐ８の操作子Ｂ８（番組）が選択された場合に表示され、選択された番組について録画予約等を設定するためのポップアップウィンドウである。
【０１２０】
第９の操作画面Ｐ９は、複数の操作子Ｂ９を有する。操作子Ｂ９は、それぞれ、選択された操作子Ｂ８に対応する番組について行う操作、又は第９の操作画面Ｐ９を閉じる操作に対応する。
【０１２１】
第９の操作画面Ｐ９の背後に、第８の操作画面Ｐ８が表示される。しかし、第９の操作画面Ｐ９が表示されている場合、第９の操作画面Ｐ９はアクティブ（有効）であるが、第８の操作画面Ｐ８はアクティブではない。このため、テレビ１１の閾値発行部８３は、第９の操作画面Ｐ９に対応する横方向閾値及び縦方向閾値のみを取得し、携帯端末１２に送信する。
【０１２２】
上述のように、テレビ１１の閾値発行部８３は、ディスプレイ３６に表示される操作画面が切り替わった場合に限らず、アクティブな操作画面が変更されたり、ポップアップウィンドウやプルダウンメニューが表示されたりした場合にも、閾値を携帯端末１２に通知する。
【０１２３】
第１の実施において、通信Ｉ／Ｆ５７が、操作画面（例えば第１乃至第９の操作画面Ｐ１〜Ｐ９）に含まれる複数の操作子（Ｂ１〜Ｂ９）の疎密に関する情報としての閾値（例えば横方向閾値Ｔｘ１〜Ｔｘ５及び縦方向閾値Ｔｙ１〜Ｔｙ５）を取得する。制御部７１は、当該情報を用いて、ＵＩ上でのスワイプ操作の移動距離と、操作画面上のフォーカスＦＣの移動数との関係を変更する。これにより、例えばユーザの入力操作と操作画面の操作とをより直感的に対応させることが可能となり、操作画面の操作を円滑にできる。
【０１２４】
例えば第１の例において、横方向閾値Ｔｘ１及び縦方向閾値ｔｙ１が、第１の操作画面Ｐ１に含まれる操作子Ｂ１の間のフォーカスＦＣの移動距離に応じて設けられる。これにより、ユーザによるタッチ操作（スワイプ）と第１の操作画面Ｐ１の操作（フォーカスＦＣの移動）とをより直感的に対応させることが可能となり、第１の操作画面Ｐ１の操作を円滑にできる。
【０１２５】
携帯端末１２は、制御部７１でタッチ位置の移動距離が閾値を超える度に出力した操作情報（横方向移動命令及び縦方向移動命令）を、通信Ｉ／Ｆ５７からテレビ１１に送信する。すなわち、閾値に基づく操作情報の出力は、テレビ１１ではなく携帯端末１２で行われる。携帯端末１２は、タッチ位置の移動距離の情報をテレビ１１に送信する必要が無く、当該移動距離に基づき出力される操作情報をテレビ１１に送信する。これにより、携帯端末１２とテレビ１１との間で送受信される情報の量が低減され、ユーザによるタッチ操作の応答性が向上し、操作画面のより直感的な操作が可能になる。
【０１２６】
携帯端末１２は、通信Ｉ／Ｆ５７によりテレビ１１から直接閾値を受信する。これにより、携帯端末１２とテレビ１１との間で送受信される情報の量が低減され、ユーザによるタッチ操作の応答性が向上し、操作画面のより直感的な操作が可能になる。
【０１２７】
第４の例において、横方向における操作子Ｂ４の密集度及び横方向閾値Ｔｘ４の移動距離の比率と、縦方向における操作子Ｂ４の密集度及び縦方向閾値Ｔｙ４の移動距離の比率とが異なる。横方向に並ぶ操作子Ｂ４の間の関連性が低いため、横方向閾値Ｔｘ４の移動距離がより大きく設定され、フォーカスＦＣが横方向に移動し難くされる。これにより、意図しないフォーカスＦＣの移動が生じることが抑制され、第４の操作画面Ｐ４の操作がより直感的になる。
【０１２８】
上記第１の実施形態の携帯端末１２によるテレビ１１の操作処理では、テレビ１１が閾値を携帯端末１２に通知し、タッチ位置の移動距離が当該閾値を超える毎に携帯端末１２が操作情報をテレビ１１に送信する。しかし、第１の実施形態の携帯端末１２によるテレビ１１の操作処理は、これに限られない。
【０１２９】
一つの変形例では、テレビ１１の閾値発行部８３は、閾値を閾値ＤＢ８４から取得すると、携帯端末１２に送信せずに保持する。携帯端末１２の制御部７１は、通信Ｉ／Ｆ５７から、タッチ位置の移動距離の情報をテレビ１１に送信する。テレビ１１の制御部８１は、携帯端末１２から受信したタッチ位置の移動距離が閾値を超える毎に、操作画面を操作するための操作情報を出力する。これにより、例えばフォーカスＦＣが、当該操作情報に従って移動する。この例において、テレビ１１が電子機器の一例である。
【０１３０】
他の変形例では、閾値発行部８３及び閾値ＤＢ８４が、テレビ１１の代わりにサーバ１７に設けられる。この例における操作画面は、例えば、サーバ１７で行われるクラウドサービスを操作するための画面である。
【０１３１】
操作画面が切り替わると、サーバ１７の閾値発行部８３は、当該操作画面に対応する閾値を閾値ＤＢ８４から取得し、携帯端末１２に送信する。携帯端末１２の制御部７１は、タッチ位置の移動距離が当該閾値を超える毎に、操作画面を操作するための操作情報を例えばサーバ１７に送信する。サーバ１７は、当該操作情報に従い、操作画面のフォーカスＦＣを移動させる。この例において、サーバ１７が電子機器の一例である。
【０１３２】
以下に、第２の実施の形態について、図１５を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【０１３３】
図１５は、第２の実施の形態に係るテレビ１１及び携帯端末１２の機能的構成を示すブロック図である。第２の実施の形態において、テレビ１１は、機能的構成として、閾値発行部８３及び閾値ＤＢ８４の代わりに、キー情報発行部１０１と、キー情報データベース（以下、キー情報ＤＢと称する）１０２とを備える。
【０１３４】
キー情報発行部１０１は、閾値の取得に用いられるキー情報を取得及び送信する。キー情報は、第１情報の一例である。キー情報ＤＢ１０２に、複数の当該キー情報が登録される。
【０１３５】
第２の実施形態において、携帯端末１２は、機能的構成として、閾値取得部１１１と、閾値ＤＢ１１２とを備える。閾値取得部１１１は、処理部の一例であり、閾値ＤＢ１１２から、携帯端末１２によるテレビ１１の操作処理に用いられる閾値を取得する。閾値ＤＢ１１２に、複数の当該閾値が登録される。
【０１３６】
テレビ１１のキー情報発行部１０１は、ディスプレイ３６に表示される画面が操作画面に切り替わると、キー情報ＤＢ１０２から当該操作画面に対応するキー情報を取得する。キー情報は、例えば、各操作画面に割り振られた番号であり、各操作画面に対応付けられてキー情報ＤＢ１０２に登録される。キー情報発行部１０１は、通信Ｉ／Ｆ４６を介して、携帯端末１２に当該キー情報を送信する。
【０１３７】
携帯端末１２の通信Ｉ／Ｆ５７が、テレビ１１から送信されたキー情報を受信する。携帯端末１２の閾値取得部１１１は、通信Ｉ／Ｆ５７を介して取得したキー情報に基づき、閾値ＤＢ１１２から閾値を取得する。閾値は、キー情報に対応付けられて閾値ＤＢ１１２に登録される。閾値取得部１１１は、取得した当該閾値を保持する。
【０１３８】
携帯端末１２の制御部７１は、タッチ位置の移動距離が、キー情報に基づき取得された閾値を超える毎に、フォーカスＦＣを移動させるための操作情報を出力する。これにより、フォーカスＦＣが移動する。
【０１３９】
第２の実施形態において、閾値取得部１１１は、テレビ１１からキー情報を取得し、当該キー情報に基づいて閾値を取得する。これにより、携帯端末１２とテレビ１１との間で送受信される情報の量が低減され、操作の応答性が向上し、操作画面のより直感的な操作が可能になる。
【０１４０】
なお、上記の第２の実施形態において、キー情報発行部１０１及びキー情報ＤＢ１０２がテレビ１１に設けられ、閾値取得部１１１及び閾値ＤＢ１１２が携帯端末１２に設けられる。しかし、キー情報発行部１０１及びキー情報ＤＢ１０２は、例えばサーバ１７に設けられても良い。
【０１４１】
また、サーバ１７が閾値取得部１１１及び閾値ＤＢ１１２を有しても良い。この場合、テレビ１１のキー情報発行部１０１は、サーバ１７にキー情報を送信する。サーバ１７の閾値取得部１１１は、当該キー情報に基づいて閾値を取得し、当該閾値を携帯端末１２に送信する。
【０１４２】
以下に、第３の実施の形態について、図１６を参照して説明する。図１６は、第３の実施の形態に係る携帯端末１２の機能的構成を示すブロック図である。携帯端末１２は、機能的構成として、撮像部１２１と、閾値算出部１２２とを備える。
【０１４３】
撮像部１２１は、カメラ５９により、被写体の画像情報を生成する。閾値算出部１２２は、撮像部１２１が生成した画像情報に基づき、携帯端末１２によるテレビ１１の操作処理に用いられる閾値を作成する。
【０１４４】
第３の実施形態において、ユーザがカメラ５９により、テレビ１１のディスプレイ３６に表示される操作画面を撮影する。これにより、撮像部１２１は、当該操作画面の画像情報を生成し、閾値算出部１２２に出力する。
【０１４５】
閾値算出部１２２は、撮影された操作画面の画像情報から、当該操作画面に含まれる複数の操作子の配置を、画像処理によって取得する。操作子の配置は、操作子の疎密の一例である。すなわち、閾値算出部１２２は、画像情報を解析することで操作子を認識し、当該操作子の位置及び大きさ（グリッド幅）を取得する。
【０１４６】
閾値算出部１２２は、取得した操作子の配置に基づき、閾値を算出する。例えば、閾値算出部１２２は、操作子の配置から、当該操作子の間のフォーカスＦＣの移動距離を算出する。さらに、閾値算出部１２２は、当該フォーカスＦＣの移動距離から閾値を算出する。
【０１４７】
携帯端末１２の制御部７１は、タッチ位置の移動距離が、閾値算出部１２２によって算出された閾値を超える毎に、フォーカスＦＣを移動させるための操作情報を出力する。これにより、フォーカスＦＣが移動する。
【０１４８】
第３の実施形態において、撮影された操作画面の画像情報における操作子の配置に基づいて、閾値が算出される。これにより、例えば携帯端末１２がテレビ１１から閾値を取得できなかったとしても、ユーザによる入力操作と操作画面での操作とをより直感的に対応させることが可能となり、操作画面の操作を円滑にできる。
【０１４９】
以下に、第４の実施の形態について、図１７及び図１８を参照して説明する。図１７は、第４の実施の形態に係る、第１０の操作画面Ｐ１０を示す図である。第１０の操作画面Ｐ１０は、クラウドサービスの各種機能を利用するためのメニュー画面である。第１０の操作画面Ｐ１０は、複数の操作子Ｂ１０を有する。
【０１５０】
複数の操作子Ｂ１０は、クラウドサービスの各種機能に対応する情報を表示する。複数の操作子Ｂ１０は、対応する機能に応じた種々の大きさに設定される。このため、フォーカスＦＣが配置された操作子Ｂ１０によって、当該操作子Ｂ１０と隣り合う操作子Ｂ１０との間のフォーカスＦＣの移動距離（隣り合う操作子Ｂ１０の中心間距離）は異なる。
【０１５１】
第４の実施形態において、閾値は、第１０の操作画面Ｐ１０の、複数の操作子Ｂ１０にそれぞれ対応して設定される。すなわち、それぞれの操作子Ｂ１０に、右方向、左方向、上方向、及び下方向の操作子Ｂ１０にフォーカスＦＣを移動させるための閾値が設定される。閾値は、第１０の操作画面Ｐ１０の各操作子Ｂ１０に対応付けられて閾値ＤＢ８４に登録される。
【０１５２】
例えば、一つの操作子Ｂ１０と、当該操作子Ｂ１０の右方向に隣接する操作子Ｂ１０との間のフォーカスＦＣの移動距離が比較的短い場合、これらの操作子Ｂ１０の間でフォーカスＦＣを移動させるための閾値は、比較的小さく設定される。一方、当該操作子Ｂ１０と、当該操作子Ｂ１０の上方向に隣接する操作子Ｂ１０との間のフォーカスＦＣの移動距離が比較的長い場合、これらの操作子Ｂ１０の間でフォーカスＦＣを移動させるための閾値は、比較的大きく設定される。
【０１５３】
図１８は、第４の実施形態の、携帯端末１２によるテレビ１１の操作処理の手順の一部を例示するフローチャートである。第４の実施形態において、横方向移動命令又は縦方向移動命令が送信され、横方向又は縦方向に係るタッチ位置の移動距離のカウントがリセットされると（ステップＳ１７，２０）、制御部７１は閾値の再取得を行う（ステップＳ３０）。
【０１５４】
携帯端末１２が横方向移動命令又は縦方向移動命令をテレビ１１に送信し、フォーカスＦＣが移動すると、テレビ１１の閾値発行部８３は、フォーカスＦＣが配置された操作子Ｂ１０に対応する閾値を閾値ＤＢ８４から取得する。閾値発行部８３は、通信Ｉ／Ｆ４６を介して、携帯端末１２に当該閾値の情報を送信する。携帯端末１２の制御部７１は、通信Ｉ／Ｆ５７を介して、当該閾値を取得する。
【０１５５】
携帯端末１２の制御部７１は、再取得された閾値を用いて、タッチ位置の移動距離のカウント及びフォーカスＦＣの移動についての制御（ステップＳ１３〜Ｓ２１）を繰り返す。操作子Ｂ１０のフォーカスＦＣが移動する毎に、上述のように閾値が再取得される。
【０１５６】
第４の実施形態において、閾値が複数の操作子Ｂ１０毎に設けられ、フォーカスＦＣが操作子Ｂ１０を移動する毎に、閾値が取得される。これにより、第１０の操作画面Ｐ１０の操作がより直感的になる。
【０１５７】
第１０の操作画面Ｐ１０のように操作子Ｂ１０の大きさがそれぞれ異なる場合に限らず、種々の場合に、操作子のフォーカスが移動する毎に閾値が取得されて良い。例えば、操作子が円環状に配置される場合、操作子毎に、向きが異なる閾値が設定される。操作子のフォーカスＦＣが移動する毎に、各操作子に対応した向きを有する閾値が再取得される。これにより、円環状に配置された操作子において、フォーカスＦＣをより直感的に操作できる。
【０１５８】
以下に、第５の実施の形態について、図１９を参照して説明する。図１９は、第５の実施の形態に係る、携帯端末１２によって操作されるテレビ１１の第１１の例を示す図である。第１１の例において、テレビ１１のディスプレイ３６に、第１１の操作画面Ｐ１１が表示される。第１１の操作画面Ｐ１１は、複数の操作子Ｂ１１を有する。
【０１５９】
第１１の操作画面Ｐ１１に、ポインタＰＴが表示される。ポインタＰＴは、指示子の一例である。ポインタＰＴは、第１１の操作画面Ｐ１１上の座標を指定するために設けられる。ユーザは、ポインタＰＴを所望の操作子Ｂ１１の上に移動させて当該操作子Ｂ１１を指定することで、指定された操作子Ｂ１１に対応する機能又はコンテンツを利用することができる。
【０１６０】
テレビ１１の閾値発行部８３は、ディスプレイ３６に表示される画面が第１１の操作画面Ｐ１１に切り替わると、閾値ＤＢ８４から第１１の操作画面Ｐ１１に対応する横方向閾値Ｔｘ１１と縦方向閾値Ｔｙ１１とを取得する。閾値発行部８３は、通信Ｉ／Ｆ４６を介して、携帯端末１２に横方向閾値Ｔｘ１１及び縦方向閾値Ｔｙ１１の情報を送信する。
【０１６１】
横方向閾値Ｔｘ１１は、横方向に係る表示画面５１のＵＩ上でのユーザの操作の移動距離と、横方向に係る第１１の操作画面Ｐ１１上のポインタＰＴの移動距離との関係に関する情報である。縦方向閾値Ｔｙ１１は、縦方向に係る表示画面５１のＵＩ上でのユーザの操作の移動距離と、縦方向に係る第１１の操作画面Ｐ１１上のポインタＰＴの移動距離との関係に関する情報である。
【０１６２】
図１９に示される第１１の例において、ユーザの指ＦＴは、携帯端末１２の表示部５１のＵＩに触れた状態で移動する。ユーザの指ＦＴによるタッチ位置の移動距離に応じて、携帯端末１２の制御部７１は、ポインタＰＴを移動させるための操作情報を、通信Ｉ／Ｆ５７を介してテレビ１１に送信する。これにより、ポインタＰＴは所望の位置に移動する。例えば、携帯端末１２の制御部７１は、横方向に係る表示部５１のＵＩ上でのタッチ位置の移動距離が、横方向閾値Ｔｘ１１を超える毎に、ポインタＰＴを横方向へ１ピクセル移動させる操作情報を出力する。
【０１６３】
以上のように、指示子は、フォーカスＦＣに限らず、ポインタＰＴであっても良い。制御部７１は、閾値を用いて、表示画面５１のＵＩ上でのユーザの操作の移動距離と、操作画面上のポインタＰＴの移動距離との関係を変更する。
【０１６４】
上記複数の実施形態は、ユーザの操作に応じたフォーカスＦＣ及びポインタＰＴの移動について説明した。しかし、ユーザの操作の移動距離に応じた画面のスクロール量が操作画面毎に変更されても良い。
【０１６５】
さらに、閾値（フォーカスＦＣを移動させるための入力操作の感度）は、ユーザによって調節されても良い。例えば、ユーザの設定に応じて、取得された閾値に任意の値が乗算される。これにより、操作画面の操作をより円滑にできる。
【０１６６】
以上説明した少なくとも一つの実施形態によれば、操作画面に含まれる複数の操作子の疎密に関する第１情報が取得され、当該第１情報を用いて、ユーザインターフェース上でのユーザの操作の移動距離と、前記操作画面上の指示子の移動数又は移動距離との関係が変更される。これにより、例えばユーザによる入力操作と操作画面での操作とをより直感的に対応させることが可能となり、操作画面の操作を円滑にできる。
【０１６７】
なお、本実施形態のテレビ１１、携帯端末１２、及びサーバ１７で実行されるテレビ操作プログラムは、インターネット等のネットワークに接続されたコンピュータ上に格納し、ネットワーク経由でダウンロードさせることにより提供される。
【０１６８】
本実施形態のテレビ１１、携帯端末１２、及びサーバ１７で実行されるテレビ操作プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成しても良い。
【０１６９】
本実施形態のテレビ１１、携帯端末１２、及びサーバ１７で実行されるテレビ操作プログラムは、ＲＯＭ等に予め組み込まれて提供されても良い。
【０１７０】
さらに、本実施形態のテレビ１１、携帯端末１２、及びサーバ１７で実行されるテレビ操作プログラムを、インターネット等のネットワーク経由で提供又は配布するように構成しても良い。
【０１７１】
本実施形態のテレビ１１、携帯端末１２、及びサーバ１７で実行されるテレビ操作プログラムは、上述した各部（制御部７１、入出力制御部７２、制御部８１、表示処理部８２、閾値発行部８３、閾値ＤＢ８４、キー情報発行部１０１、キー情報ＤＢ１０２、閾値取得部１１１、閾値ＤＢ１１２、撮像部１２１、及び閾値算出部１２２）を含むモジュール構成となっており、実際のハードウェアとしてはＣＰＵ（プロセッサ）が上記ＲＯＭからテレビ操作プログラムを読み出して実行することにより上記各部が主記憶装置上にロードされ、制御部７１、入出力制御部７２、制御部８１、表示処理部８２、閾値発行部８３、閾値ＤＢ８４、キー情報発行部１０１、キー情報ＤＢ１０２、閾値取得部１１１、閾値ＤＢ１１２、撮像部１２１、及び閾値算出部１２２が主記憶装置上に生成されるようになっている。
【０１７２】
さらに、ここに記述されたシステムの種々のモジュールは、ソフトウェア・アプリケーション、ハードウェア及び／又はソフトウェア・モジュール、あるいはサーバのような１台以上のコンピュータ上のコンポーネントとしてインプリメントすることができる。種々のモジュールは、別々に説明されているが、それらは同じ根本的なロジックかコードのうちのいくつかあるいは全てを共有しても良い。
【０１７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
2015193977.tif 000003
【図２】
2015193977.tif 000004
【図３】
2015193977.tif 000005
【図４】
2015193977.tif 000006
【図５】
2015193977.tif 000007
【図６】
2015193977.tif 000008
【図７】
2015193977.tif 000009
【図８】
2015193977.tif 000010
【図９】
2015193977.tif 000011
【図１０】
2015193977.tif 000012
【図１１】
2015193977.tif 000013
【図１２】
2015193977.tif 000014
【図１３】
2015193977.tif 000015
【図１５】
2015193977.tif 000016
【図１６】
2015193977.tif 000017
【図１７】
2015193977.tif 000018
【図１８】
2015193977.tif 000019
【図１９】
2015193977.tif 000020
【図１４】
2015193977.tif 000021
【国際調査報告】
2015193977.tif 000022
2015193977.tif 000023
2015193977.tif 000024
2015193977.tif 000025